(57)【要約】【課題】従来工法に比べて特殊な技能を必要とせず、労力が大幅に削減できると共に、施工困難な箇所においても機能を維持した閉塞が容易となるガス絶縁機器のガスリーク補修工法を提供する。【解決手段】リーク箇所Ｒ周囲の塗装部分のサビ・汚れ・古い塗膜を落とすケレン処理工程Ａと、フランジナット１２のナット穴１２ｂがリークパスとなってフランジナット１２のフランジ部１２ａがリーク箇所Ｒに当接し固定されるようコーキング材１１をリーク箇所Ｒ周囲の所定範囲にわたって接着する接着工程Ｂと、コーキング材１１の硬化後においてシールワッシャ１４を介してフランジナット１２のナット穴１２ｂにボルト１３をトルク締結しナット穴１２ｂを封鎖するボルト締結工程Ｃとから成る。【選択図】図１
2018044665.tif 000002
【特許請求の範囲】
【請求項１】
リーク箇所周囲の塗装部分のサビ・汚れ・古い塗膜を落とすケレン処理工程と、フランジナットのナット穴がリークパスとなってフランジナットのフランジ部が前記リーク箇所に当接し固定されるようコーキング材をリーク箇所周囲の所定範囲にわたって接着する接着工程と、コーキング材の硬化後においてシールワッシャを介して前記フランジナットのナット穴にボルトをトルク締結しナット穴を封鎖するボルト締結工程とから成ることを特徴としたガス絶縁機器のガスリーク補修工法。
【請求項２】
前記接着工程において、前記フランジナットの長さ寸法を大きくして、硬化後のコーキング材からナット穴の上端開口位置を所定長さ分だけ突出できるようにした請求項１記載のガス絶縁機器のガスリーク補修工法。
【請求項３】
前記コーキング材が硬化剤とエポキシ樹脂との二材混合型のクイックスチールである請求項１または２記載のガス絶縁機器のガスリーク補修工法。
【発明の詳細な説明】
【技術分野】
【０００１】
本発明は、ガス絶縁機器の経年劣化によるフランジ部パッキンのシール性能低下や溶接部のひび割れ等による絶縁ガスのリークを補修するためのガス絶縁機器のガスリーク補修工法に関する。
【背景技術】
【０００２】
従来から、ガス絶縁機器（ガス絶縁開閉装置：ＧＩＳ）が経年劣化するとフランジ部パッキンのシール性能低下や溶接部のひび割れ等により、機器内部の絶縁ガスがリークしてしまう不具合が発生する。リークが継続するとタンク内部の絶縁ガスが失われ絶縁性能が低下し設備事故に至る可能性があるため、早急にリークを閉塞する処置を施す必要がある。
【０００３】
ガス絶縁機器（ガス絶縁開閉装置：ＧＩＳ）は、遮断器・断路器・母線電線路・避雷器・計器用変成器・作業用接地装置等を、絶縁性の高い六フッ化硫黄（ＳＦ６）が充填されている単一の接地容器内に収めている縮小形開閉設備である。六フッ化硫黄（ＳＦ６）は、絶縁性が高く、その絶縁耐力は空気の３倍にも及ぶ。また、不活性で熱伝導性も高いことから、アーク放電によって過熱した電極を、速やかに冷却することができる。
【０００４】
このガス絶縁機器は、点検や、不具合が生じたときの対処を考慮して、複数のガス区画を設けており、機器全体を分割した状態で管理している。そして、各ガス区画には、バルブにより開閉可能なガス給排口が設けられている。このガス給排口には、異物の侵入を防止するために、所定の給排口カバーが取り付けられている。
【０００５】
このようなガス絶縁機器において、複数のガス区画内に充填されている六フッ化硫黄（ＳＦ６）は、何らかの事故や装置の故障等を原因として部分的な放電現象が生じた場合、フッ化スルフリル（ＳＯ２Ｆ２）等の分解ガスが生じる。そのため、何らかの事故や装置の故障等が生じた場合、該当するガス区画を特定して必要な措置を施すために、個々のガス区画において、分解ガスの有無を検知する作業が実施されている。
【０００６】
また、前記したリーク閉塞処置のための抜本的な対策としては、ガス絶縁機器のタンク交換やフランジパッキン取替が必要となるが、長期的な設備停止により電力の安定供給に支障を来すと共に、修理費用が高額となる。
【０００７】
そのため、近年においては、設備を運転し続けた状態(絶縁ガスが定格圧力に充填された状態)のまま外部からコーキング処置を施してガスリークを閉塞する手法が一般的に採用されている。
【０００８】
具体的には、全周に渡りコーキング処置を施し、最終的にリークパスを１点に限定させて閉塞する様々な工法がある。
【０００９】
このような工法としては、例えば、特許文献１に開示されているように、各種金属配管の腐食、磨耗などによる破損部を補修するための金属パイプの補修用セットと、該補修用セットを用いた補修方法が存在する。
【００１０】
すなわち、マスキングテープ、繊維テープ、エポキシ樹脂を主体とする補修材および金属製ワイヤをセットした金属パイプの補修セットを使用し、金属パイプに生じた孔をマスキングテープで塞ぎ、その上に繊維テープを、補修材を塗布しながら複数回巻き付けた後、巻き付けた繊維テープの表面に金属製ワイヤを複数回巻き付け、さらにその表面に補修材を塗布し、補修材を硬化させることによって、孔の周辺の金属パイプに硬化物を形成している。
【００１１】
また、特許文献２に開示されているように、損傷部を有した管を簡単かつ短時間のうちに補修できるようにする管の補修方法が存在する。
【００１２】
すなわち、管の損傷部の表面に硬化性樹脂を盛り、この樹脂を硬化させることにより、損傷部を覆うことが可能な補修用部材を形成する。そして、補修用部材と損傷部の周囲における管の表面との間に、シール材を挟み込んだ状態で補修用部材を管に固定しているのである。
【先行技術文献】
【特許文献】
【００１３】
【特許文献１】特開２０００−５５２８８号公報
【特許文献２】特開２００８−１２１８７８号公報
【発明の概要】
【発明が解決しようとする課題】
【００１４】
しかしながら、上記した特許文献１および特許文献２の補修方法では、タンク全周に渡りコーキング処置を施した後の、最終閉塞の施工には高度な技能が必要になると共に、内部のガス圧が高ければ高いほど最終閉塞が困難となるため、補修が不完全となる場合が多く、再リークに至る可能性がある。
【００１５】
因みに、特許文献２の場合、管の損傷部の表面に盛られた硬化性樹脂の硬化によって損傷部を覆う補修用部材を形成する際に、補修用部材と損傷部の周囲における管の表面との間にシール材を挟み込んでだとしても、当該シール材自体、ガス圧に対する耐力性が乏しいのであり、補修用部材と管の表面との間に隙間が生じ易くなることから、ガスリークを完全に閉塞することは困難である。
【００１６】
しかも、再施工するには既設のコーキング材を全て除去しなければならず、初回施工よりも多大な労力を要することとなる。また、溶接部やベローズ部等のピンホールリークにおいても全周をコーキング処置する必要がある。これらの部位は他の部材との干渉がある箇所や狭隘な箇所が多く、十分な性能の施工することが非常に困難であるため、より再リークが発生しやすいという懸念がある。
【００１７】
そこで、本発明は叙上のような従来存した諸事情に鑑み創出されたもので、その目的は、従来工法に比べて特殊な技能を必要とせず、労力が大幅に削減できると共に、施工困難な箇所においても機能を維持した閉塞が容易となるガス絶縁機器のガスリーク補修工法を提供することにある。
【課題を解決するための手段】
【００１８】
本発明に係る請求項１の発明は、リーク箇所周囲の塗装部分のサビ・汚れ・古い塗膜を落とすケレン処理工程と、フランジナットのナット穴がリークパスとなってフランジナットのフランジ部が前記リーク箇所に当接し固定されるようコーキング材をリーク箇所周囲の所定範囲にわたって接着する接着工程と、コーキング材の硬化後においてシールワッシャを介して前記フランジナットのナット穴にボルトをトルク締結しナット穴を封鎖するボルト締結工程とから成ることで、上述した課題を解決した。
【００１９】
この請求項１に係るガス絶縁機器のガスリーク補修工法によれば、ピンホールリークに対しては全周をコーキングする必要が無く少ない範囲での施工で閉塞が可能となる。
【００２０】
また、特許文献１に示されるような従来工法に比べて特殊な技能を必要としないことから労力が大幅に削減できると共に、溶接部やベローズ部等のように他の部材との干渉がある箇所や狭隘な箇所等の施工困難な箇所においても機能を維持したリーク閉塞が容易となる。
【００２１】
しかも、施工後のコーキング用のエポキシ系接着材の除去も容易にできるため、再施工の必要が生じた際にも労力を大幅な削減できる。
【００２２】
また、本発明に係る請求項２の発明は、前記接着工程において、前記フランジナットの長さ寸法を大きくして、硬化後のコーキング材からナット穴の上端開口位置を所定長さ分だけ突出できるようにすることで、同じく、上述した課題を解決した。
【００２３】
この請求項２に係るガス絶縁機器のガスリーク補修工法によれば、前記ボルト締結工程において、シールワッシャを介して前記フランジナットのナット穴にボルトを、例えば六角トルクレンチ等を使ってトルク締結する際に、コーキング材から突出しているフランジナット部位をスパナで保持しておくことで、トルクがフランジナットに及ばず、これによって硬化後のコーキング材の破断を防止することができる。
【００２４】
本発明に係る請求項３の発明は、前記コーキング材が硬化剤とエポキシ樹脂との二材混合型のクイックスチール(米国製、国内代理店:ジャパンゼネラル貿易株式会社の商品名)であることで、同じく、上述した課題を解決した。
【００２５】
この請求項３に係るガス絶縁機器のガスリーク補修工法によれば、クイックスチールの鉄に匹敵する強度となる硬化性および他の類似製品に比べて非常に強固な金属に対する接着強度により、溶接部やベローズ部等のように他の部材との干渉がある箇所や狭隘な箇所等の施工困難な箇所においても、機能を維持したリーク閉塞が容易となる。
【００２６】
しかも、施工後のクイックスチールの除去も容易にできるため、再施工の必要が生じた際にも労力を大幅な削減できる
【発明の効果】
【００２７】
本発明は以上説明したように構成されているため、従来工法に比べて特殊な技能を必要とせず、労力が大幅に削減できると共に、施工困難な箇所においても機能を維持した閉塞が容易となる。
【図面の簡単な説明】
【００２８】
【図１】本発明を実施するための一形態におけるガスリーク補修工法の工程図である。
【図２】ガスリーク補修後の状態を示す斜視図である。
【図３】ガスリーク補修に使用されるボルトと、シールワッシャと、フランジナットとの各部材を示す分解斜視図である。
【図４】図４中、（ａ）乃至（ｄ）は、二材混合型のエポキシ系接着材によるコーキング材を使ったフランジナットの接着工程の具体的な手順を説明するための斜視図である。
【図５】接着工程でのリークパスとなってリーク箇所に接着されたナットの一例を示し、（ａ）はナット周辺の斜視図、（ｂ）はナット周辺の断面図である。
【図６】図６中、（ａ）は接着工程でのリークパスとなってリーク箇所にコーキング材で接着されたナットによるリーク状態を示す断面図、（ｂ）はリーク箇所にコーキング材のみを接着し、コーキング材が硬化する前にリーク箇所からのガス圧によってコーキング材が膨張し剥離した状態の断面図である。
【図７】ボルト締結工程でのフランジナットのナット穴にシールワッシャを介してボルトをトルク締結する前の各部材が分解された状態を示し、（ａ）はナット周辺の斜視図、（ｂ）はナット周辺の断面図である。
【図８】ボルト締結工程でのボルトを、六角トルクレンチを使ってトルク締結する状態を示し、（ａ）はナット周辺の斜視図、（ｂ）はナット周辺の断面図である。
【図９】ボルト締結工程でのボルトをトルク締結した状態を示し、（ａ）はナット周辺の斜視図、（ｂ）はナット周辺の断面図である。
【図１０】フランジナットの変形例を示し、図１０中、（ａ）は硬化後のコーキング材から突出したフランジナットのナット穴にシールワッシャを介してボルトをトルク締結した状態の斜視図、（ｂ）は硬化後のコーキング材から突出したフランジナットのナット穴をスパナで保持しながら六角トルクレンチを使ってトルク締結する状態を示す斜視図である。
【図１１】ガス絶縁機器のフランジ部と配管との溶接箇所に本発明の工法を採用した場合の斜視図である。
【図１２】図１２中、（ａ）乃至（ｅ）はガス絶縁機器のフランジ部と配管との溶接箇所に本発明の工法を採用した場合における各作業工程の手順を示す斜視図である。
【発明を実施するための形態】
【００２９】
以下に、図面を参照して、本発明の一実施の形態について説明する。
【００３０】
本発明に係るガス絶縁機器のガスリーク補修工法は、図２、図５（ａ）、および図５（ｂ）、図７（ａ）、図９（ａ）に示すように、ガス絶縁機器（ガス絶縁開閉装置：ＧＩＳ）のフランジ部２によって接続されている配管１の全周にわたる溶接部分２ｂ（配管１同士の溶接部分２ｂ）において発生したリーク箇所Ｒ（図５（ｂ）、図６（ａ）、図７（ｂ）、図８（ｂ）、図９（ｂ）参照）に、硬化剤とエポキシ樹脂との二材混合型の強力なエポキシ系接着材をコーキング材１１として採用し、最終閉塞にシールワッシャ１４を併用したボルト１３およびフランジナット１２を用いた新たな工法である。
【００３１】
すなわち、コーキング材１１として使用されるエポキシ系接着材は、本実施形態においては、硬化剤とエポキシ樹脂との二材構成としてなる「クイックスチール」(米国製、国内代理店:ジャパンゼネラル貿易株式会社の商品名)を使用する。「クイックスチール」は、耐熱性（２６０℃）、耐水性、耐酸性を有し、その構造は、硬化剤を中心にしてその周囲にエポキシ樹脂が被覆されて成る。この「クイックスチール」を手指で練りこんで硬化剤とエポキシ樹脂とを混合させると、約５分程度で硬化が開始し、硬化後約１時間で鉄と同等の強度を有するものとなる。
【００３２】
フランジナット１２は、この一端に形成されているフランジ部１２ａがリーク箇所Ｒに当接してナット穴１２ｂ（雌ネジ）がリークパスとなるように配置され、前記エポキシ系接着材によるコーキング材１１をリーク箇所Ｒ周囲の所定範囲にわたって被覆して、フランジナット１２を接着している。
【００３３】
シールワッシャ１４は、フランジナット１２に対するボルト１３のトルク締結によって圧潰されることで、シールパッキンとしての気密性が発揮されるようにしている。
【００３４】
本実施形態における具体的な工法手順は、以下の通りである。
【００３５】
図１に示すように、先ず、ケレン処理工程Ａにおいて、リーク箇所Ｒ周囲の塗装部分のサビ・汚れ・古い塗膜を落とす作業を行う。
【００３６】
次の図１に示す接着工程Ｂにおいては、フランジナット１２のナット穴１２ｂがリークパスとなってフランジ部１２ａが前記リーク箇所Ｒに当接し固定されるよう、「クイックスチール」と称するエポキシ系接着材によるコーキング材１１をリーク箇所Ｒの、例えば周囲直径５ｃｍ以上の範囲にわたって接着する。
【００３７】
この場合、図３（ａ）に示すように、コーキング材１１である「クイックスチール」を手指で練りこんで硬化剤とエポキシ樹脂とを混合させ、図４（ｂ）に示すように、所定の太さとなるようロープ状に引き伸ばしておく。
【００３８】
そして、図４（ｃ）に示すように、フランジナット１２のフランジ部１２ａ周囲にコーキング材１１を巻き込み、この状態で図４（ｄ）に示すように、フランジ部１２ａをリーク箇所Ｒに当接し、コーキング材１１をリーク箇所Ｒの、例えば周囲直径５ｃｍ以上の範囲にわたって手指で押圧しながら引き伸ばし接着する。このとき、コーキング材１１は、フランジナット１２のナット穴１２ｂを塞がない程度に、上端面すれすれまで覆う状態となるようにする。
【００３９】
そして、コーキング材１１のエポキシ系接着材を完全硬化させるため、例えば１昼夜静置する。これによって、図５（ａ）および図５（ｂ）に示すように、フランジナット１２のナット穴１２ｂがリークパスとなって、リーク箇所Ｒにフランジナット１２が、硬化したコーキング材１１によって強固に接着固定される。
【００４０】
また、図６（ａ）に示すように、コーキング材１１が完全に硬化するまでの間は、フランジナット１２のナット穴１２ｂがリークパスとなっていることから、配管１内のガス圧はナット穴１２ｂを通って外部に放出され、これによってコーキング材１１と配管１（リーク箇所Ｒ）との間がガス圧で剥離して、隙間を生じさせてしまう事態の発生を防止している。
【００４１】
因みに、図６（ｂ）は、リーク箇所Ｒにコーキング材１１のみを接着した場合であり、コーキング材１１が硬化する前にリーク箇所Ｒからのガス圧によってコーキング材１１が膨張し剥離した状態を示す。
【００４２】
コーキング材１１の硬化後の図１に示すボルト締結工程Ｃにおいては、図７（ａ）および図７（ｂ）に示すように、シールワッシャ１４を介して、フランジナット１２のナット穴１２ｂにボルト１３をトルク締結し、ナット穴１２ｂを封鎖する。
【００４３】
この場合、図８（ａ）および図８（ｂ）に示すように、ボルト１３の頭部１３ａに被冠されるジョイント部１５ａが回転軸１５ｂの一端に設けられ、回転軸１５ｂの他端に直角配置となってハンドル１５ｃが設けられて成る、ラチェット式の六角トルクレンチ１５を使用する。
【００４４】
ジョイント部１５ａは、内側が六角状の凹溝となった円筒型に形成されており、ジョイント部１５ａをボルト１３の頭部１３ａに被冠してハンドル１５ｃを往復回動させることで、ボルト１３はフランジナット１２のナット穴１２ｂにねじ込まれる（図９（ａ）および図９（ｂ）参照）。
【００４５】
図１０は、フランジナット１２の変形例を示している。本変形例では、前記フランジナット１２（ナット穴１２ｂを含む）の長さ寸法を、硬化後のコーキング材１１から所定長さ分だけ突出できるように大きくしてある。
【００４６】
すなわち、図１０（ｂ）に示すように、硬化後のコーキング材１１から突出したフランジナット１２部位をスパナ１６等で保持しながら、前記六角トルクレンチ１５を使ってトルク締結できるようにしている。
【００４７】
図１０（ａ）は、硬化後のコーキング材１１から突出したフランジナット１２のナット穴１２ｂに、シールワッシャ１４を介してボルト１３をトルク締結した状態を示している。これによりボルト１３に掛かるトルクがフランジナット１２に及ばず、硬化後のコーキング材１１の破断を防止することとなる。
【００４８】
図１１および図１２は、ガス絶縁機器の配管１同士を接続するためのフランジ部２の狭隘なフランジ溶接箇所２ａに発生したリーク箇所Ｒに、本発明の工法を採用した場合を示している。
【００４９】
この場合の作業工程の手順としては、図１２（ａ）に示すように、フランジ部２の狭隘な環状となったフランジ溶接箇所２ａの一部にリーク箇所Ｒが発見されると、図１２（ｂ）に示すように、上記と同様にして、フランジナット１２のナット穴１２ｂがリークパスとなってフランジ部１２ａが前記リーク箇所Ｒに当接し固定されるよう、「クイックスチール」と称するエポキシ系接着材によるコーキング材１１をリーク箇所Ｒに接着する。
【００５０】
次に、図１２（ｃ）に示すように、コーキング材１１の硬化後において、シールワッシャ１４を介してフランジナット１２のナット穴１２ｂにボルト１３を装着し、図１２（ｄ）に示すように、六角トルクレンチ１５によってボルト１３をトルク締結しナット穴１２ｂを封鎖する。
【００５１】
こうして図１１および図１２（ｅ）に示すように、ガス絶縁機器の配管１同士を接続するためのフランジ部２の狭隘なフランジ溶接箇所２ａに発生したリーク箇所Ｒの如き、施工困難な箇所においても機能を維持した閉塞が可能となる。
【００５２】
本実施形態において、コーキング材１１として使用されるエポキシ系接着剤である「クイックスチール」に対して接着強度測定を実施し、実質的なガス絶縁機器の内部圧力に対して十分な耐力があることを確認するとともに、閉塞時のボルト締結トルクに対して十分な耐力を得るために必要な接着範囲を明確にした。
【００５３】
すなわち、上記コーキング材１１が締結トルクに耐え得る強度かを確認するため、せん断接着強度試験（ＪＩＳ−Ｋ６８５０準拠）を実施した。この場合、試験体は、ガス絶縁開閉装置（ＧＩＳ）のタンクを想定して鉄およびアルミを使用した。その結果、７Ｎ／ｍｍ2以上の接着強度があることを確認した(平均:約１０Ｎ／ｍｍ2)。
【００５４】
この結果を考察すると、ボルト１３の締結時に補修材（コーキング材１１）に掛かる力（Ｋ）を「締結トルク（Ｎ・ｍ）／ボルトネジ半径（ｍ）」と定義すれば、接着力が締結トルクを上回るためには、接着面積（Ｓ）（ｍｍ2）≧Ｋ（Ｎ）／７（Ｎ／ｍｍ2）となることを満たす必要がある。以上より、必要な接着面積Ｓおよび等価円直径φを求めたものを下表に示す。
【００５５】
【表１】
2018044665.tif 000003
【００５６】
このように本実施形態では、接触面積Ｓ〔投下円直径ファイ〕がこの値以上であれば締結トルクに耐えうることとなる。尚、接触面積Ｓおよび等価円直径φはフランジナット１２分のフランジ部１２ａの面積を除外して算出する。
【００５７】
本実施形態においては、本発明に係るガス絶縁機器のガスリーク補修工法の施工箇所を上記した図２に示す配管１同士の溶接部分２ｂまたは図１１に示すフランジ２と配管１とのフランジ溶接箇所２ａに適用しているが、これに限らず、例えば図２のボルト止めした対向するフランジ２相互間の外周部分にも適用可能である。
【００５８】
また、以上既に述べた以外にも、上記実施形態や各変形例による手法を適宜組み合わせて利用しても良い。
【００５９】
その他、一々例示はしないが、本発明は、その趣旨を逸脱しない範囲内において、種々の変更が加えられて実施されるものである。
【産業上の利用可能性】
【００６０】
本発明は、ガス絶縁機器の経年劣化によるフランジ部パッキンのシール性能低下や溶接部のひび割れ等による絶縁ガスのリークを補修するためのガス絶縁機器のガスリーク補修工法として、種々の作業現場において、幅広く利用されるものである。
【符号の説明】
【００６１】
Ａ…ケレン処理工程
Ｂ…接着工程
Ｃ…ボルト締結工程
Ｒ…リーク箇所
Ｓ…接触面積
φ…等価円直径
１…配管
２…フランジ部
２ａ…フランジ溶接箇所
２ｂ…配管同士の溶接部分
１１…コーキング材
１２…フランジナット
１２ａ…フランジ部
１２ｂ…ナット穴
１３…ボルト
１４…シールワッシャ
１５…六角トルクレンチ
１５ａ…ジョイント部
１５ｂ…回転軸
１５ｃ…ハンドル
１６…スパナ
【図１】
2018044665.tif 000004
【図２】
2018044665.tif 000005
【図３】
2018044665.tif 000006
【図４】
2018044665.tif 000007
【図５】
2018044665.tif 000008
【図６】
2018044665.tif 000009
【図７】
2018044665.tif 000010
【図８】
2018044665.tif 000011
【図９】
2018044665.tif 000012
【図１０】
2018044665.tif 000013
【図１１】
2018044665.tif 000014
【図１２】
2018044665.tif 000015